(57)【要約】    【課題】    共通の直流電源から給電され、互いに独立運転可能な複数組のインバータによって構成される電力変換システムにおいて、前記複数組のインバータの内の何れかが故障したときに、この電力変換システム全体を停止すること無く、速やかに、正常動作が行えるインバータに交換することができるようにする。    【解決手段】  図１に示した電力変換システム６０には、第１スイッチ回路を形成する断路器２５、３５，４５，５５および電磁接触器２６，３６，４６，５６と、第２スイッチ回路を形成する電磁接触器２７，３７，４７，５７とを備えたことにより、速やかに、正常動作が行えるインバータユニットに交換することができる。【選択図】        図１
2011199940.tif 000002
【特許請求の範囲】
【請求項１】
共通の直流電源から給電され、互いに独立運転可能な複数組のインバータによって構成される電力変換システムにおいて、
前記直流電源と前記複数組のインバータそれぞれとの間に挿設される複数組の第１スイッチ回路と、前記インバータそれぞれを形成する主回路コンデンサの電荷を放電させる複数組の第２スイッチ回路とを備えたことを特徴とする電力変換システム。
【請求項２】
請求項１に記載の電力変換システムにおいて、
前記第１スイッチ回路が前記直流電源とインバータとを切離す動作をしたときに、対応する前記第２スイッチ回路を動作させるようにしたことを特徴とする電力変換システム。
【請求項３】
請求項１又は２に記載の電力変換システムにおいて、
前記第２スイッチ回路は、前記インバータそれぞれを形成する主回路コンデンサの充電電流抑制抵抗を介して該主回路コンデンサの電荷を放電させるように動作することを特徴とする電力変換システム。
【発明の詳細な説明】
【技術分野】
【０００１】
この発明は、共通の直流電源から給電され、互いに独立運転可能な複数組のインバータによって構成される電力変換システムに関する。
【背景技術】
【０００２】
図４は、この種の電力変換装置の従来例を示す回路構成図である。
【０００３】
この図において、１は商用電源などの交流電源、２〜５は電力変換システム１０から給電される負荷としての交流電動機である。
【０００４】
図４に示した電力変換システム１０は、この電力変換システム１０全体の運転シーケンスを司る運転シーケンス回路１１と、主幹断路器１２と、電磁接触器１３と、ダイオードをブリッジ接続してなるコンバータ１４と、コンバータ１４の出力電圧を平滑する直流リアクトル１５と、複数組のインバータとしてのインバータユニット２０，３０，４０，５０とから構成されている。
【０００５】
このインバータユニット２０，３０，４０，５０それぞれは、コンバータ１４の出力電圧を平滑するための電解コンデンサなどからなるコンデンサ２３，３３，４３，５３と、このコンデンサ２３，３３，４３，５３それぞれへの突入電流を抑制する充電電流抑制抵抗２１，３１，４１，５１と、この充電電流抑制抵抗２１，３１，４１，５１にそれぞれ並列接続される電磁接触器２２，３２，４２，５２と、例えばＩＧＢＴ（絶縁ゲート・バイポーラトランジスタ）とダイオードの逆並列回路をブリッジ接続構成にして、所望の振幅・周波数の交流電圧を出力するインバータ回路２４，３４，４４，５４とから構成されている。
【０００６】
図４に示した電力変換システム１０により給電される交流電動機２〜５は、製鉄機械，
製紙機械における搬送ライン機器の駆動源などに供される。
【先行技術文献】
【特許文献】
【０００７】
【特許文献１】特開２００７−１８１３３１号公報
【発明の概要】
【発明が解決しようとする課題】
【０００８】
図４に示した電力変換システム１０など、共通の直流電源から給電され、互いに独立運転可能な複数組のインバータによって構成される電力変換システムにおいては、例えば前記特許文献１に開示されているように、前記複数組のインバータの内の何れかが故障したときに、この故障に起因する不具合が他の健全なインバータに波及しないように、種々の対策が行われている。
【０００９】
また、前記複数組のインバータの内の何れかに故障が発生し、このインバータの動作が停止している状態になったときには、速やかに、正常動作が行えるインバータに交換できることが望まれる。
【００１０】
しかしながら、図４に示した従来の電力変換システム１０において、運転中のインバータユニット２０，３０，４０，５０の内の何れかに故障が発生し、このインバータユニットの動作が停止している状態になったときに、正常動作が行えるインバータユニットに交換する際には、次のように交換作業が行われる。先ず、運転シーケンス回路１１からの指令により、電磁接触器１３を開路すると共に、電力変換システム１０全体の動作を停止させ、その後、主幹断路器１２を開路した状態にして、故障したインバータユニットを切り離した後に正常なインバータユニットを接続する。
【００１１】
すなわち、従来の電力変換システム１０では、電力変換システム全体の動作を停止させるという問題点があり、特に対象機械が鉄鋼や製紙等のライン制御装置の場合には大変なロスが生じることになる。また、健全なインバータユニットを形成するコンデンサそれぞれに残っている電荷が十分に放電する時間が経過するのを待つ必要があるため、上述の交換作業に時間を要するという問題点もあった。
【００１２】
この発明の目的は、上記問題点を解消した電力変換システムを提供することにある。
【課題を解決するための手段】
【００１３】
この第１の発明は、共通の直流電源から給電され、互いに独立運転可能な複数組のインバータによって構成される電力変換システムにおいて、
前記直流電源と前記複数組のインバータそれぞれとの間に挿設される複数組の第１スイッチ回路と、前記インバータそれぞれを形成する主回路コンデンサの電荷を放電させる複数組の第２スイッチ回路とを備えたことを特徴とする。
【００１４】
また第２の発明は、前記第１の発明の電力変換システムにおいて、
前記第１スイッチ回路が前記直流電源とインバータとを切離す動作をしたときに、対応する前記第２スイッチ回路を動作させるようにしたことを特徴とする。
【００１５】
さらに第３の発明は、前記第１の発明又は第２の発明の電力変換システムにおいて、
前記第２スイッチ回路は、前記インバータそれぞれを形成する主回路コンデンサの充電電流抑制抵抗を介して該主回路コンデンサの電荷を放電させるように動作することを特徴とする。
【発明の効果】
【００１６】
この発明によれば、この種の電力変換システムにおいて、前記複数組のインバータの内の何れかが故障したときに、この電力変換システム全体を停止すること無く、安全かつ速やかに、正常動作が行えるインバータに交換することができる。
【図面の簡単な説明】
【００１７】
【図１】この発明の実施例を示す電力変換システムの回路構成図
【図２】図１の動作を説明するフローチャート
【図３】図１の動作を説明するフローチャート
【図４】従来例を示す電力変換システムの回路構成図
【発明を実施するための形態】
【００１８】
図１は、この発明の実施例を示す電力変換システムの回路構成図であり、この図において、図４に示した従来例構成と同一機能を有するものには、同一符号を付している。
【００１９】
すなわち、図１に示した電力変換システム６０には従来の運転シーケンス回路１１に代えて、運転シーケンス回路６１が備えられ、また、前記第１スイッチ回路を形成する断路器２５、３５，４５，５５および電磁接触器２６，３６，４６，５６と、後述の如く前記第２スイッチ回路の一部を形成する電磁接触器２７，３７，４７，５７とが追加装備されている。なお、インバータユニット２０ａ，３０ａ，４０ａ，５０ａは、コンデンサ２３，３３，４３，５３それぞれの負電位側に端子を備えており、この負電位側端子に接続された接続線の他端が外部に引き出され、電磁接触器２７，３７，４７，５７にそれぞれ接続されている。
【００２０】
図１に示したこの発明の電力変換システム６０において、正常運転中は、主幹断路器１２、電磁接触器１３、断路器２５、３５，４５，５５、電磁接触器２６，３６，４６，５６、電磁接触器２２，３２，４２，５２は、それぞれ閉路状態となっている。
【００２１】
ただし、電源投入直後等のようにインバータユニット２０ａ，３０ａ，４０ａ，５０ａのコンデンサ２３，３３，４３，５３に電荷が充電されていないときには、大きな突入電流が流れることになるので、インバータユニット２０ａ，３０ａ，４０ａ，５０ａは次のように起動される。先ず、電磁接触器２２，３２，４２，５２を開路状態として、充電電流抑制抵抗２１，３１，４１，５１を介してコンデンサ２３，３３，４３，５３を充電することにより突入電流が流れるのを抑制する。その後、コンデンサ２３，３３，４３，５３の両端電圧が許容最低入力電圧ＶH 以上になれば、電磁接触器２２，３２，４２，５２を閉路することにより充電電流抑制抵抗２１，３１，４１，５１を短絡して通常運転を行う。
【００２２】
正常運転中の電力変換システム６０において、運転中のインバータユニット２０ａ，３０ａ，４０ａ，５０ａの内、例えば、インバータユニット２０ａに故障が発生し、このインバータユニットの動作が停止している状態になったときに、正常動作が行えるインバータユニットに交換する際の動作について、図２と図３に示すフローチャートを参照しつつ、以下に説明をする。
【００２３】
図２は、故障したインバータユニット２０ａを取り外す際の前処理動作を示すフローチャートである。
【００２４】
すなわち図２において、先ず、正常なインバータユニット３０ａ，４０ａ，５０ａにより運転中の電力変換システム６０は、通常は閉路状態になっている断路器２５を開路させて（ステップＳ１１）、コンバータ１４の出力電圧がインバータユニット２０ａに印加されない状態にする。
【００２５】
次に運転シーケンス回路６１からの指令により、電磁接触器２６を開路状態にする（ステップＳ１２）と共に、電磁接触器２２を開路状態にする（ステップＳ１３）。
【００２６】
次に運転シーケンス回路６１からの指令により、通常は開路状態になっている電磁接触器２７を閉路させることにより（ステップＳ１４）、コンデンサ２３の正電位→充電電流抑制抵抗２１→電磁接触器２７の接点→コンデンサ２３の負電位の経路で、前記第２スイッチ回路（コンデンサ２３の放電回路）を形成させる。
【００２７】
次に運転シーケンス回路６１からの指令により、上述の経路によって、コンデンサ２３に残っている電荷が徐々に放電しているときのコンデンサ２３の両端電圧を計測し（ステップＳ１５）、この計測した両端電圧が、予め設定され、安全に交換作業が行える電圧ＶL 以下に低下したかを監視し（ステップＳ１６）、この電圧ＶL を超えていれば、ステップＳ１５に戻る。また、前記電圧ＶL 以下であれば、コンデンサ２３の両端電圧が十分に減衰したとして、ステップＳ１７に移り、外部にインバータユニット２０ａが取り外せる状態になっていることを知らせる。
【００２８】
以上のフローチャートにより、正常なインバータユニット３０ａ，４０ａ，５０ａにより運転中の電力変換システム６０を停止させることなく、安全に、故障したインバータユニット２０ａを取り外すことができる。その際、インバータユニット２０ａが通常有している充電電流抑制抵抗２１を利用してコンデンサ２３の電荷を強制放電させることにより、放電時間を短縮して交換作業に要する時間を短縮することができる。
【００２９】
なお、図２に示したステップＳ１５とステップＳ１６の機能は、コンデンサ２３の両端電圧が前記電圧ＶL 以下になる迄を時限とするタイマ動作に置き換えることが可能であり、このときには、比較的高価な直流電圧検出器の設置を省略することができる。
【００３０】
図３は、故障したインバータユニット２０ａを取り外した後、健全なインバータユニットを再接続し、このインバータユニットが運転動作を開始する際の前処理を示すフローチャートである。
【００３１】
すなわち図３において、正常動作をするインバータユニット２０ａが再接続された後、運転シーケンス回路６１からの指令により、電磁接触器２２，２６，２７それぞれを開路状態にして（ステップＳ２１）、いきなり、コンバータ１４の出力電圧がインバータユニット２０ａに印加されない状態にする。
【００３２】
次に、断路器２５を閉路状態にし（ステップＳ２２）、運転シーケンス回路６１からの指令により、電磁接触器２６を閉路することにより（ステップＳ２３）、充電電流抑制抵抗２１を介してコンデンサ２３にコンバータ１４の出力電圧が印加される。
【００３３】
次に運転シーケンス回路６１からの指令により、上述の電圧印加動作によって、コンデンサ２３が徐々に充電されているときのコンデンサ２３の両端電圧を計測し（ステップＳ２４）、計測した両端電圧が、予め設定され、インバータユニット２０ａの許容最低入力電圧ＶH 以上になっているかを監視し（ステップＳ２５）、この電圧ＶH 未満であれば、ステップＳ２４に戻る。また、前記電圧ＶH 以上であれば、コンデンサ２３の両端電圧が十分に上昇したとして、ステップＳ２６に移り、電磁接触器２２を閉路することにより充電電流抑制抵抗２１を短絡して、インバータユニット２０ａに正常な直流電圧を印加される状態にする。
【００３４】
次に運転シーケンス回路６１からの指令により、インバータユニット２０ａを形成するインバータ回路２４に起動信号を与えることにより（ステップＳ２７）、この電力変換システム６０は、通常運転状態に復旧する。
【００３５】
なお、図３に示したステップＳ２４とステップＳ２５の機能は、コンデンサ２３の両端電圧が前記電圧ＶH 以上になる迄を時限とするタイマ動作に置き換えることが可能であり、このときには、比較的高価な直流電圧検出器の設置を省略することができる。
【符号の説明】
【００３６】
１…交流電源、２〜５…交流電動機、１０…電力変換システム、１１…運転シーケンス回路、１２…主幹断路器、１３…電磁接触器、１４…コンバータ、１５…直流リアクトル、２０，３０，４０，５０…インバータユニット、２１，３１，４１，５１…充電電流制限抵抗、２２，３２，４２，５２…電磁接触器、２３，３３，４３，５３…コンデンサ、２４，３４，４４，５４…インバータ回路、２０ａ，３０ａ，４０ａ，５０ａ…インバータユニット、２５，３５，４５，５５…断路器、２６，２７，３６，３７，４６，４７，５６，５７…電磁接触器、６０…電力変換システム、６１…運転シーケンス回路。
【図１】
2011199940.tif 000003
【図２】
2011199940.tif 000004
【図３】
2011199940.tif 000005
【図４】
2011199940.tif 000006